(57)【要約】  【課題】  絶縁部分に空隙やクラックなどの欠陥が存在する場合であっても、欠陥部でのコロナ放電の発生を抑制し、絶縁信頼性の高いパワー半導体モジュールを提供する。  【解決手段】  パワー半導体チップを収容する絶縁ケースと、前記パワー半導体チップを搭載する絶縁基板と、前記絶縁基板を搭載し、接着剤により前記絶縁ケースと接続される第１の導体と、一部が前記絶縁ケース内に配置され、前記パワー半導体チップの引き出し電極となる第２の導体と、前記絶縁ケース内において、前記第１の導体と前記第２の導体の間に配置される第３の導体と、を備え、前記第１の導体と前記第３の導体間の電位差は、前記第１の導体と前記第２の導体間の電位差よりも小さいことを特徴とする。【選択図】  図２Ａ
2018067644.tif 000002
【特許請求の範囲】
【請求項１】
パワー半導体チップを収容する絶縁ケースと、
前記パワー半導体チップを搭載する絶縁基板と、
前記絶縁基板を搭載し、接着剤により前記絶縁ケースと接続される第１の導体と、
一部が前記絶縁ケース内に配置され、前記パワー半導体チップの引き出し電極となる第２の導体と、
前記絶縁ケース内において、前記第１の導体と前記第２の導体の間に配置される第３の導体と、を備え、
前記第１の導体と前記第３の導体間の電位差は、前記第１の導体と前記第２の導体間の電位差よりも小さいことを特徴とするパワー半導体モジュール。
【請求項２】
請求項１に記載のパワー半導体モジュールであって、
前記第１の導体と前記第３の導体は同電位であることを特徴とするパワー半導体モジュール。
【請求項３】
請求項１または２に記載のパワー半導体モジュールであって、
前記第３の導体の前記第１の導体と対向する面の面積は、前記第２の導体の前記第１の導体と対向する面の面積よりも広いことを特徴とするパワー半導体モジュール。
【請求項４】
請求項１から３のいずれか１項に記載のパワー半導体モジュールであって、
前記第１の導体は、さらにネジにより前記絶縁ケースと接続され、
前記絶縁ケースに設けられるネジ穴の空隙部分は、前記第１の導体と前記３の導体の間に配置されることを特徴とするパワー半導体モジュール。
【請求項５】
請求項１から４のいずれか１項に記載のパワー半導体モジュールであって、
前記第３の導体の一部が前記絶縁ケース内に露出し、当該露出した第３の導体は、第４の導体を介して、前記第１の導体と電気的に接続されることを特徴とするパワー半導体モジュール。
【請求項６】
請求項１から４のいずれか１項に記載のパワー半導体モジュールであって、
前記第３の導体の一部が前記絶縁ケース外に露出し、当該露出した第３の導体は、第４の導体を介して、前記第１の導体と電気的に接続されることを特徴とするパワー半導体モジュール。
【請求項７】
請求項５に記載のパワー半導体モジュールであって、
前記第４の導体は、ボンディングワイヤであることを特徴とするパワー半導体モジュール。
【請求項８】
請求項５に記載のパワー半導体モジュールであって、
前記第４の導体は、半田であることを特徴とするパワー半導体モジュール。
【請求項９】
請求項６に記載のパワー半導体モジュールであって、
前記第３の導体の一部は、前記絶縁ケースの上面側に露出していることを特徴とするパワー半導体モジュール。
【請求項１０】
請求項６に記載のパワー半導体モジュールであって、
前記第３の導体の一部は、前記絶縁ケースの側面側に露出していることを特徴とするパワー半導体モジュール。
【発明の詳細な説明】
【技術分野】
【０００１】
本発明は、パワー半導体モジュールの構造に関し、特に、コロナ放電を抑制しパワー半導体モジュールの絶縁信頼性向上に有効な技術に関する。
【背景技術】
【０００２】
パワー半導体モジュールの絶縁体中に空隙やクラックなどの欠陥部が存在すると、電圧印加時にその欠陥部へ電界が集中し、コロナ放電と呼ばれる微弱な放電が発生する。コロナ放電が発生した状態で電圧を印加し続けると空隙やクラックを起点として絶縁劣化が進展し、最終的には絶縁破壊してパワー半導体モジュールの故障に至る。
【０００３】
そこで、コロナ放電を抑制し絶縁信頼性を担保することが、パワー半導体モジュール（特に３．３ｋＶ以上の高電圧を扱う電鉄向け等のパワー半導体モジュール）には求められている。
【０００４】
本技術分野の背景技術として、例えば、特許文献１のような技術がある。特許文献１には、「絶縁ケースに設けられたネジ穴部分に空気より大きい比誘電率を有する絶縁樹脂を封入して空隙領域を低減し、コロナ放電を抑制する半導体装置」が開示されている。
【０００５】
また、特許文献２には、「絶縁ケースの内壁に突出部を設けて突出部の下面と絶縁シートとの間に第１の隙間を形成し、その第１の隙間に封止樹脂を充填することで、絶縁シートへの水分の浸入を抑制し、絶縁シートの吸湿による絶縁性能の低下を防止するパワーモジュール」が開示されている。
【先行技術文献】
【特許文献】
【０００６】
【特許文献１】特開２０１３−７４２８４号公報
【特許文献２】特開２０１４−２０３９７８号公報
【発明の概要】
【発明が解決しようとする課題】
【０００７】
上述したように、パワー半導体モジュールにおいては、絶縁部分でのコロナ放電の発生を防止し絶縁信頼性を向上することが、製品の信頼性を維持し、製造歩留りを向上する上で重要な課題である。
【０００８】
上記特許文献１では、ネジ穴部分に封入した絶縁樹脂中に気泡などの空隙があると、その空隙部分でコロナ放電が生じてしまう。
【０００９】
また、上記特許文献２では、隙間の狭い部分まで十分に封止樹脂が充填されずに空隙ができ、コロナ放電が生じる可能性がある。
【００１０】
本発明は上述の点に鑑みなされたもので、その目的とするところは、絶縁部分に空隙やクラックなどの欠陥が存在する場合であっても、欠陥部でのコロナ放電の発生を抑制し、絶縁信頼性の高いパワー半導体モジュールを提供することにある。
【課題を解決するための手段】
【００１１】
上記課題を解決するために、本願発明のパワー半導体モジュールの主な特徴は、以下の通りである。
【００１２】
パワー半導体チップを収容する絶縁ケースと、前記パワー半導体チップを搭載する絶縁基板と、前記絶縁基板を搭載し、接着剤により前記絶縁ケースと接続される第１の導体と、一部が前記絶縁ケース内に配置され、前記パワー半導体チップの引き出し電極となる第２の導体と、前記絶縁ケース内において、前記第１の導体と前記第２の導体の間に配置される第３の導体と、を備え、前記第１の導体と前記第３の導体間の電位差は、前記第１の導体と前記第２の導体間の電位差よりも小さいことを特徴とする。
【発明の効果】
【００１３】
本発明によれば、絶縁部分に空隙やクラックなどの欠陥が存在する場合であっても、欠陥部でのコロナ放電の発生を抑制し、絶縁信頼性の高いパワー半導体モジュールを実現することができる。
【００１４】
上記した以外の課題、構成および効果は、以下の実施形態の説明によって明らかにされる。
【図面の簡単な説明】
【００１５】
【図１】一般的なパワー半導体モジュールの構造例を示す断面図である。
【図２Ａ】本発明の一実施形態に係るパワー半導体モジュールの構造を示す断面図である。
【図２Ｂ】図２Ａの上面図（Ａ−Ａ’矢視図）である。
【図３】本発明の一実施形態に係るパワー半導体モジュールの構造を示す断面図である。
【図４】本発明の一実施形態に係るパワー半導体モジュールの構造を示す断面図である。
【図５】本発明の一実施形態に係るパワー半導体モジュールの構造を示す断面図である。
【発明を実施するための形態】
【００１６】
以下、図面を用いて本発明の実施例を説明する。なお、各図面において、同一の構成については同一の符号を付し、重複する部分についてはその詳細な説明は省略する。
【実施例１】
【００１７】
先ず、図１を参照して、本発明の対象となる一般的な電鉄（電気鉄道）向けパワー半導体モジュールについて説明する。図１は一般的なパワー半導体モジュールの断面構造を示している。
【００１８】
パワー半導体モジュール１００は、IGBT（Insulated Gate Bipolar Transistor）やMOS（Metal Oxide Semiconductor）等のパワー半導体チップ１が絶縁基板２を介して放熱性を持つ金属ベース板４に搭載されている。絶縁基板２と金属ベース板４の間には、絶縁基板２の裏面電極である裏面の導体パターン３が設けられている。パワー半導体チップ１と絶縁基板２は絶縁ケース５の中に収容され、絶縁ケース５内は絶縁ゲル６で封止されており、絶縁ゲル６と絶縁ケース５の上面の間には空間１４が存在する。
【００１９】
金属ベース板４と絶縁ケース５は、接着剤７とネジ８を用いて接続されている。パワー半導体チップ１のコレクタ電極（ドレイン電極）、エミッタ電極（ソース電極）やゲート電極は、ボンディングワイヤ９〜１１、絶縁基板上の導体パターン１２、引き出し電極である端子１３を介して絶縁ケース５外に引き出されている。端子１３の一部は絶縁ケース５の中にインサートされている。
【００２０】
一般的なパワー半導体モジュールでは、図１に示すように、高電位部（絶縁基板上の導体パターン１２、ボンディングワイヤ９〜１１、端子１３）と低電位部（金属ベース板４、ネジ８）との間に絶縁体（絶縁基板２、絶縁ケース５、絶縁ゲル６）を設けることで、高電位部−低電位部間の絶縁が図られている。
【００２１】
しかしながら、高電位部と低電位部との間に空隙（例えば絶縁体中の気泡）が存在する場合には、そこへ電界が集中し、空隙への印加電圧がその絶縁破壊強度を上回るとコロナ放電が発生してしまう。パワー半導体モジュールのコロナ放電の一例としては、絶縁ケース５に設けられたネジ穴の空隙部分１６でコロナ放電が生じることが知られている。ネジ穴の空隙部分１６でのコロナ放電を抑制するために、例えば上記特許文献１では、絶縁ケースに設けられたネジ穴の空隙部分に絶縁樹脂を封入して空隙領域を低減しコロナ放電を抑制する様にしている。
【００２２】
次に、図２Ａおよび図２Ｂを参照して、本実施例のパワー半導体モジュールについて説明する。図２Ａは本実施例のパワー半導体モジュールの断面構造を示し、図２Ｂは図２Ａの上面図（Ａ−Ａ’矢視図）を示している。なお、図２Ｂでは平面構造が分かり易いように要部のみを示す。
【００２３】
図２Ａ，図２Ｂに示すように、本実施例のパワー半導体モジュール２００は、パワー半導体チップ１と、パワー半導体チップを搭載する絶縁基板２と、絶縁基板２を搭載する金属ベース板４と、パワー半導体チップ１と絶縁基板２を収容する絶縁ケース５と、絶縁ケース５と金属ベース板４を接続するネジ８と、パワー半導体チップ１と端子１３とを接続するためのボンディングワイヤ９と絶縁基板上の導体パターン１２と、パワー半導体チップ１の電極を絶縁ケース５外へ引き出すための引き出し電極である端子１３と、絶縁ケース５内に充填する絶縁ゲル６と、金属ベース板４と端子１３との間に配置する導体（シールド）１５、導体（シールド）１５と金属ベース板４とを接続するボンディングワイヤ１７、とから構成されている。
【００２４】
また、絶縁基板２と金属ベース板４の間には、絶縁基板２の裏面電極である裏面の導体パターン３が設けられている。パワー半導体チップ１と絶縁基板２は絶縁ケース５の中に収容され、絶縁ケース５内は絶縁ゲル６で封止されており、絶縁ゲル６と絶縁ケース５の上面の間には空間１４が存在する。
【００２５】
金属ベース板４と絶縁ケース５は、接着剤７とネジ８を用いて接続されている。パワー半導体チップ１のコレクタ電極（ドレイン電極）、エミッタ電極（ソース電極）やゲート電極は、ボンディングワイヤ９〜１１、絶縁基板上の導体パターン１２、引き出し電極である端子１３を介して絶縁ケース５外に引き出されている。端子１３と導体（シールド）１５の一部は絶縁ケース５の中にインサートされている。
【００２６】
上記構成部材のうち、パワー半導体チップ１、ボンディングワイヤ９〜１１、絶縁基板上の導体パターン１２と端子１３とが高電位部であり、金属ベース板４とネジ８とが低電位部となる。高電位部と低電位部との間に空隙が存在すると、そこへ電界が集中し、空隙への印加電圧がその絶縁破壊強度を上回るとコロナ放電が発生し易くなる。図２Ａでは、ネジ穴の空隙部分１６が、高電位部である端子１３と、低電位部であるネジ８との間に位置するためコロナ放電が生じ得る。
【００２７】
そこで本実施例では、上記コロナ放電の発生を抑制するために、端子１３とネジ８との間に、ネジ８および金属ベース板４と同電位となる導体（シールド）１５が設けられている。導体（シールド）１５の一部は絶縁ケース５の内面に露出しており、その露出部分と金属ベース板４とがボンディングワイヤ１７により電気的に接続されている。金属ベース板４とネジ８は同電位であるから、導体（シールド）１５とネジ８は同電位となる。つまり、金属ベース板４（第１の導体）と導体（シールド）１５（第３の導体）間の電位差は、金属ベース板４（第１の導体）と端子１３（第２の導体）間の電位差よりも小さくなる。
【００２８】
そのため、導体（シールド）１５とネジ８との間にあるネジ穴の空隙部分１６には電圧は印加されず、したがってコロナ放電は生じ得ない。以上から、本構成によりネジ穴に空隙部分が存在する場合でも、上記空隙部分でのコロナ放電を抑えることが可能となる。
【００２９】
なお、端子１３と導体（シールド）１５との距離は、その間にある絶縁ケース５の絶縁破壊が生じない程度に離すのが望ましい。例えば、絶縁ケース５の絶縁破壊強度が１０ｋＶ／ｍｍであり、端子１３に１０ｋＶ印加し、導体（シールド）１５をＧＮＤ電位とする場合は、端子１３と導体（シールド）１５との距離は少なくとも１ｍｍ以上を離す様にする。
【００３０】
また、図２Ｂに示すように、パワー半導体モジュール２００を平面視した場合、導体（シールド）１５の面積が端子１３の面積よりも広くなるように、導体（シールド）１５設けるのが望ましい。言い換えると、導体（シールド）１５（第３の導体）の金属ベース板４（第１の導体）と対向する面の面積は、端子１３（第２の導体）の金属ベース板４（第１の導体）と対向する面の面積よりも広くするのが望ましい。金属ベース板４と端子１３との間において、導体（シールド）１５の電界シールドの効果を十分に得るためである。
【実施例２】
【００３１】
図３を参照して、実施例２のパワー半導体モジュールについて説明する。図３は本実施例のパワー半導体モジュールの断面構造を示している。
【００３２】
図３に示すように、本実施例のパワー半導体モジュール３００は、実施例１（図２Ａ）の構成と比較すると、導体（シールド）１５の一部が絶縁ケース５の内側側壁から露出し、その露出部と金属ベース板４とが半田１８により電気的に接続されている点を除き、その他の構成は実施例１（図２Ａ）と略同様である。
【００３３】
本構成により、導体（シールド）１５とネジ８が同電位となり、導体（シールド）１５とネジ８との間にあるネジ穴の空隙部分１６には電圧は印加されず、したがってコロナ放電は生じ得ない。以上から、実施例１と同様に、ネジ穴に空隙が存在する場合でも、上記空隙部分でのコロナ放電を抑えることが可能となる。
【実施例３】
【００３４】
図４を参照して、実施例３のパワー半導体モジュールについて説明する。図４は本実施例のパワー半導体モジュールの断面構造を示している。
【００３５】
図４に示すように、本実施例のパワー半導体モジュール４００は、実施例１（図２Ａ）の構成と比較すると、導体（シールド）１５の一部が絶縁ケース５の外側上面に引き出され、導体（シールド）１５と金属ベース板４とが導体１９により電気的に接続されている点を除き、その他の構成は実施例１（図２Ａ）と略同様である。
【００３６】
本構成により、導体（シールド）１５とネジ８が同電位となり、導体（シールド）１５とネジ８との間にあるネジ穴の空隙部分１６には電圧は印加されず、したがってコロナ放電は生じ得ない。以上から、実施例１と同様に、ネジ穴に空隙が存在する場合でも、上記空隙部分でのコロナ放電を抑えることが可能となる。
【実施例４】
【００３７】
図５を参照して、実施例４のパワー半導体モジュールについて説明する。図５は本実施例のパワー半導体モジュールの断面構造を示している。
【００３８】
図５に示すように、本実施例のパワー半導体モジュール５００は、実施例１（図２Ａ）と比較すると、導体（シールド）１５の一部が絶縁ケース５の外側側壁面へ引き出され、導体（シールド）１５と金属ベース板４とが導体２０により電気的に接続されている点を除き、その他の構成は実施例１（図２Ａ）と略同様である。
【００３９】
本構成により、導体（シールド）１５とネジ８が同電位となり、導体（シールド）１５とネジ８との間にあるネジ穴の空隙部分１６には電圧は印加されず、したがってコロナ放電は生じ得ない。以上から、実施例１と同様に、ネジ穴に空隙が存在する場合でも、上記空隙部分でのコロナ放電を抑えることが可能となる。
【００４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００４１】
１…パワー半導体チップ、２…絶縁基板、３…裏面電極（裏面の導体パターン）、４…金属ベース板、５…絶縁ケース、６…絶縁ゲル、７…接着剤、８…ネジ、９，１０，１１，１７…ボンディングワイヤ、１２…絶縁基板上の導体パターン、１３…端子、１４…空間、１５…導体（シールド）、１６…ネジ穴の空隙部分、１８…半田、１９，２０…導体、１００，２００，３００，４００，５００…パワー半導体モジュール。
【図１】
2018067644.tif 000003
【図２Ａ】
2018067644.tif 000004
【図２Ｂ】
2018067644.tif 000005
【図３】
2018067644.tif 000006
【図４】
2018067644.tif 000007
【図５】
2018067644.tif 000008